(57)【要約】【課題】回転機械の回転構成要素をバランス調整するための自己ロック式ウェイトに関する。【解決手段】回転機械（２）は、静止構成要素（４）と、静止構成要素に対して移動可能な回転構成要素（１０）と、回転構成要素に対して取外し可能に装着されるバランス調整部材（４０）とを含む。バランス調整部材は、自己ロックキングバイス（７６）を含み、この自己ロックキングバイスは、ロック位置にある時に回転構成要素と係合すること、及びロック解除位置にある時に回転構成要素を係合解除してバランス調整部材の取外しを可能にすることを選択的に行う。このようにして、自己ロックキングバイスは、回転構成要素に対してバランス調整構成要素をかしめることを必要とせずに、回転機械の作動中にバランス調整構成要素が緩むのを防止する。【選択図】図１
2009115317.tif 000002
【特許請求の範囲】
【請求項１】
静止構成要素（４）と、
バランス調整部材受入れ開口（２０）を含み、前記静止構成要素に対して移動可能な回転構成要素（１０）と、
前記バランス調整部材受入れ開口において前記回転構成要素に取外し可能に装着されるバランス調整部材（４０）と、
を含む回転機械（２）であって、
前記バランス調整部材が、自己ロックキングバイス（７６）を含み、該自己ロックキングバイスが、ロック位置にある時に前記回転構成要素（１０）と係合し、ロック解除位置にある時に前記回転構成要素（１０）から係合解除して前記バランス調整部材の取外し及び取付けを可能にするように選択的に弾性付勢され、前記ロックキングバイスが、前記回転機械の作動中に前記バランス調整構成要素が緩むのを防止する、
回転機械（２）。
【請求項２】
前記自己ロックキングバイス（７６）が、ロック部材（８５）とロック部材アクチュエータ（８４）とを含む、請求項１記載の回転機械（２）。
【請求項３】
前記バランス調整部材（４０）が、上表面（４３）、下表面（４５）、及び外壁部分（４６）を有し、これらが全体としてロックキングバイスハウジング（４９）を定める主本体部分（４２）を含み、前記ロック部材（８５）が、外壁から延びるロック位置と主本体部分（４２）内へ後退されるロック解除位置との間で選択的にシフトされる、請求項２記載の回転機械（２）。
【請求項４】
前記ロック部材アクチュエータ（５２）が、少なくとも部分的にロックキングバイスハウジング（４９）内に置かれ、前記ロック部材アクチュエータ（５２）が、前記ロック部材をロック位置に維持する第１の位置と、前記ロック部材アクチュエータ（５２）により前記ロック部材がロック解除位置にシフト可能にされる第２の位置との間で選択的にシフト可能である、請求項３記載の回転機械（２）。
【請求項５】
前記ロック部材アクチュエータ（５２）がテーパ付き部分（６９）を含み、該テーパ付き部分（６９）が、前記ロック部材（５２）と係合して、ロック位置とロック解除位置との間のシフトを可能にする、請求項４記載の回転機械（２）。
【請求項６】
前記ロックキングバイスが前記ロックキングバイスハウジング（４９）内に装着されたバネ（９３）を含み、該バネが、前記ロック部材アクチュエータ（５２）をロック位置に付勢する、請求項３記載の回転機械（２）。
【請求項７】
前記ロックキングバイスハウジング（４９）が、ロック部材アクチュエータ部分（５２）とロック部材部分（５５）とを含み、前記ロック部材部分（５５）が、該ロック部材部分（５５）から或る角度で延びる、請求項３記載の回転機械（２）。
【請求項８】
前記ロック部材がロッキング球体（８５）である、請求項２記載の回転機械（２）。
【請求項９】
前記ロック部材がロックバー（２８５）である、請求項２記載の回転機械（２）。
【請求項１０】
前記ロックバー（２８５）が、ロック部材アクチュエータ受入れ部分（３１０）を含み、前記ロック部材アクチュエータ（５２）が、前記ロック部材アクチュエータ受入れ部分（３１０）と係合して前記ロック部材（８５）をロック位置とロック解除位置との間でシフトする、請求項９記載の回転機械（２）。
【発明の詳細な説明】
【技術分野】
【０００１】
本発明は、回転機械の技術分野に関し、より詳細には、回転機械の回転構成要素をバランス調整するための自己ロック式ウェイトに関する。
【背景技術】
【０００２】
ターボ機械のような回転機械の製造において、回転構成要素の最終的なバランス調整は、必須且つ重要な工程である。製造後の最終バランス調整に加えて、回転構成要素の定期的なバランス再調整は、適正な作動及び長い作動寿命を確保するために必要である。バランス調整は通常、例えばロータなどの回転構成要素にウェイトを追加又は取り除いて、ロータの真直度、並びにバケット及びカバーといったロータに取り付けられた構成要素の偏差を補償すること、或いはターボ機械が動作している振動レベルを下げることによって達成される。
【０００３】
ウェイトは通常、ロータ内に形成されたウェイト溝又は開口内に取り付けられる。ターボ機械用のウェイト溝は通常、Ｔ字形又はダブテール形の断面を有する。ウェイトは、ウェイト溝内に置かれて適正な角度位置に移動され、かしめ、ピーニング、又は他の方法で所定位置にロックされる。保守中にバランス再調整することを目的とするバランス調整ウェイト溝は通常、機械のケーシング上に設けられたポートを介してアクセスされる。バランス再調整ウェイトは、バランス調整溝内に嵌合されるが、典型的には特殊な取付工具を要するか、或いはネジプラグタイプのものである。いずれの場合においても、ウェイトは、ターボ機械の運転中に緩むのを防止するために、所定位置でかしめ又はピーニングする必要がある。
【０００４】
例えば新しい界磁巻線が設けられるなど、ロータのサービス時にはロータをバランス再調整できるようにウェイトが除去される。ウェイトの除去には、かしめ部又はピーニング部を研削して落とす必要がある。ロータが所定位置にあるときにはかしめ部を研削することはできない。所定位置でかしめ部を研削すると、ターボ機械内に破片が取り込まれ、これが完全に除去されない場合には損傷を引き起こす恐れがある。従って、ロータは、除去されてバランス調整設備に移送され、バランス調整してサービスに戻される必要がある。この作業は、２〜３週間を要することがあり、機械の停止時間をかなり長引かせる可能性がある。例えば、発電所は、ターボ機械が運転停止している毎日に収益をかなり失う可能性がある。これに加えて、かしめ部を除去して再形成できる回数には限度がある。各除去及び再形成、すなわちロック解除／ロックサイクルは、ロータの材料の損失をもたらすことになる。このような数回のサイクル後、ロータを除去する必要があり、よって、ウェイト溝を拡大して追加的なロック／ロック解除サイクルを可能にする。
【特許文献１】米国特許第６２７９２４０号明細書
【特許文献２】米国特許第６４７７９１６号明細書
【発明の開示】
【０００５】
本発明の１つの態様によれば、回転機械が提供される。回転機械は、静止構成要素と、該静止構成要素に対して移動可能な回転構成要素とを含む。回転機械は、バランス調整部材受入れ開口を含む。回転機械はまた、バランス調整部材受入れ開口において回転構成要素に取外し可能に装着されるバランス調整部材を含む。バランス調整部材は、自己ロックキングバイスを含み、該自己ロックキングバイスは、ロック位置にある時に回転構成要素と係合すること、及びロック解除位置にある時に回転構成要素を係合解除してバランス調整部材の取外しを可能にすることを選択的に行う。このようにして、自己ロックキングバイスは、回転構成要素にバランス調整構成要素をかしめるのを必要とせずに、回転機械の作動中にバランス調整構成要素が緩むのを防止する。
【０００６】
本発明の別の態様によれば、回転機械の回転部材をバランス調整する方法が提供される。本方法は、回転部材のバランス調整部材受入れ部分を露出させるステップと、自己ロックキングバイスを有するバランス調整部材をバランス調整部材受入れ部分内に部分的に挿入するステップと、自己ロックキングバイスのロック部材アクチュエータを操作するステップとを含む。ロック部材アクチュエータが操作されると、自己ロックキングバイスのロック部材は、バランス調整部材内に後退される。この時点で、バランス調整部材は、バランス調整部材受入れ部分内に着座され、ロック部材アクチュエータが係合解除され、ロック部材が延ばされて回転部材と係合して、回転機械の作動中にバランス調整部材が緩むのを防止する。
【０００７】
上記に基づいて、本発明の例示的な実施形態は、かしめ又はピーニングを必要とせずに回転機械の回転構成要素に取り付けることのできるバランス調整部材を提供することを理解されたい。これに加えて、例示的な実施形態は、回転機械の分解及び回転構成要素の除去を必要とせずに容易に取り外すことのできるバランス調整部材を例証している。このようにして、本発明は、回転機械の運転停止時間を短縮し、これによって運転効率を高め且つ運転及び保守コストを低減させる。いずれの場合においても、本発明の例示的な実施形態の様々な態様の他の目的、特徴、及び利点は、幾つかの図において同じ参照符号が対応する要素を示す図面を参照しながら、以下の詳細な説明を読むことにより容易に明らかになるであろう。
【発明を実施するための最良の形態】
【０００８】
最初に図１及び２を参照すると、本発明の例示的な実施形態に従って構成された回転機械が、全体的に参照符号２で示したターボ機械として図示されている。ターボ機械２は、フランジ８によって所定位置に保持された複数のスタック状積層体（全体的に参照符号６で示されている）を有する静止部材又はステータ４を含む。ターボ機械２は更に、回転部材又はロータ１０を含む。ロータ１０は、外表面１３を有する主本体１１を含む。ロータ１０はまた、冷却空気流を発生するファン組立体（図示せず）用の取付け構造を提供するファン支持体１４を含むように図示されている。図示のように、ロータ１０は、エアギャップ１５だけステータ４から離間される。エアギャップ１５へのアクセスは、フランジ８に隣接して置かれた入口ギャップ１７により得られる。ロータ１０は、複数のバランス調整部材受入れ開口２０〜２３を含み、その各々は、バランス調整部材受入れ開口２０と共に図示するように、複数の雌ネジ２４とロック部材受入れ部２５、２６とを含む。勿論、ロック部材受入れ部２５、２６の個数、位置、及び形状は変えることができる。以下においてより詳細に述べるように、ロータ１０に動的バランス調整を提供するため、重量バランス調整部材４０が複数のバランス調整部材受入れ開口２０〜２３の内の１つ又はそれ以上に取り付けられる。
【０００９】
次に図３〜５を参照し、本発明の第１の例示的な実施形態に従って構成されたバランス調整部材４０を説明する。バランス調整部材４０は、六角形状で示された凹部４４を備えた第１の表面４３を有する主本体部分４２を含む。第１の表面４３は、外壁４６を通って第２の表面４５に延びる。外壁４６には、例えばバランス調整部材受入れ開口２０内に設けられたネジ２４と係合するように構成された複数のネジ４７を備える。主本体部分４２は、ロックキングバイスハウジング４９を含み、このロックキングバイスハウジング４９は、着脱自在なキャップ部材５７を開くことによりアクセスされるロック部材アクチュエータ部分５２とロック部材部分５５とを有する。図３に示すように、キャップ部材５７は、主本体部分４２の第２の表面４５に着脱可能に取り付けられる。
【００１０】
ロック部材アクチュエータ部分５２は、中間部分６７を通って第２の末端部分６６に延びる第１の末端部分６５を含む。中間部分６７は、第１の末端部分６５において狭小領域７０を成立させるテーパ付き又は傾斜した壁セグメント６９を含む。同様にして、ロック部材部分５５は、中間部分７４を通って第２の末端部分７３に延びる第１の末端部分７２を含む。ロック部材部分５５は、ロック部材アクチュエータ部分５２を実際に二分している。以下においてより明らかになるように、ロック部材部分５５は、ロック部材アクチュエータ部分５２から延びる第１及び第２の対向するロック部材部分５８、５９を含む。いずれの場合においても、第１及び第２の末端部分７２、７３は、狭い直径領域（別個に参照符号は付けられていない）を形成するために、ピーニング、かしめ、又は他の方法（例えばＣ字形クリップ、ボルト等）によって保持される。
【００１１】
バランス調整部材４０はまた、自己ロックキングバイス７６を含み、この自己ロックキングバイス７６は、ロック部材アクチュエータ８４と、図示の例示的な実施形態においてはロック部材８５、８６のペアとを含む。ロック部材アクチュエータ８４は、ロック部材アクチュエータ部分５２内に置かれ、中間セクション８９を通って第２の端部セクション８８に延びる第１の端部セクション８７を含む。中間セクション８９は、ロック部材アクチュエータ部分５２のテーパ付き壁セグメント６９に対応するテーパ付きセクション９１を含む。第２の端部セクション８８は、狭小領域７０を貫通して延びて、凹部４４内に突出する。図示した例示的な実施形態によれば、ロック部材アクチュエータ８４は、図３に示すような第１の位置又はロック位置と、以下でより詳細に説明する図４に示す第２の位置又はロック解除位置との間で選択的にシフト可能である。いずれの場合においても、バネ９３は、ロック部材アクチュエータ８４を第１の位置又はロック位置で付勢する。バネ９３は、図５に示すように、キャップ部材５７を介してアクセスされるロッククリップ９４によって所定位置に保持される。ロッククリップ９４は、バランス調整部材４０の全高を低減するために、バネ９３を錐形状にできるようにする。バネ９３がロック部材アクチュエータをロック位置で付勢することに加えて、ロータ１０によって発生する遠心力は、バランス調整部材４０を所定位置にロックするよう更に作用する。
【００１２】
ロック位置にあるときは、ロック部材アクチュエータ８４は、ロッキング球体又はボールベアリング９６、９７及び９８、９９の形態で図示されてたロック部材８５及び８６を主本体部分４２から外に付勢する。複数のバランス調整部材受入れ開口２０〜２３の内の１つに取り付けられたときには、ロック部材受入れ部２５内に付勢される。すなわち、ロック部材８５は、外壁４６を越えてロック部材受入れ部２５内に延び、バランス調整部材４０がターボ機械２の作動中に緩むのを防止するようにする。バランス調整部材４０をバランス調整部材受入れ開口２０内に挿入するために、工具（図示せず）を凹部４４内に挿入し、ロック部材アクチュエータ８４の第１の端部セクション８７を押下する。第１の端部セクション８７が凹部４４内に押下されると、ロック部材アクチュエータ８４は、バネ９３によって加えられる力に抗してロック部材アクチュエータ部分５２内でシフトする。ロック部材アクチュエータ８４がロック部材アクチュエータハウジング４９内で進むと、ボールベアリング９６及び９８は、テーパ付きセクション９１に沿って移動する。テーパ付きセクション９１が所定位置にシフトされると、ロック部材８５及び８６は、主本体部分４２内へ後退する。この時点で、バランス調整部材４０がバランス調整部材受入れ開口２０内に螺入される。所定位置に置かれると、ロック部材部分５５は、ロック部材受入れ部２５及び２６と整列し、工具が除去され、第２の端部８８が解除される。解除されると、バネ９３がロック部材アクチュエータ８４をロック位置に付勢し、テーパ付きセクション９１がロック部材８５及び８６をロック部材受入れ部２５及び２６内に付勢するようにさせる。このようにして、ロックキングバイス７６は、ロック位置ではロータ１０と係合し、ロック解除位置ではロータ１０から係合解除されてバランス調整部材４０の取外し又は取付けを可能にするように、選択的に弾性付勢される。バランス調整部材４０の除去は、上記の操作を逆に行うことによって達成される。
【００１３】
次に図６を参照し、本発明の第２の例示的な実施形態に従って構成されたバランス調整部材１４０を説明する。バランス調整部材１４０は、凹部１４４を備えた第１の表面１４３を有する主本体部分１４２を含む。第１の表面１４３は、外壁１４６を通って第２の表面１４５に延びる。図示のように、外壁１４６は、複数のバランス調整部材受入れ開口２０〜２の各々のネジ２４に対応した、全体的に参照符号１４７で示される複数のネジ部を含む。上述と同様に、バランス調整部材１４０は、ロックキングバイスハウジング１４９を含み、該ロックキングバイスハウジング１４９は、着脱自在に取り付けられたキャップ部材１５７を介してアクセスされるロック部材アクチュエータ部分１５２及びロック部材部分１５５とを含む。以下でより明らかになるように、ロック部材部分１５５は、ロック部材アクチュエータ部分１５２から第１の表面１４３に向って或る角度で延びる第１及び第２の対向するロック部材セクション１５８、１５９を含む。
【００１４】
更に上述と同様にして、ロック部材アクチュエータ部分１５２は、中間部分１６７を通って第２の末端部分１６６に延びる第１の末端部分１６５を含む。上述と同様に、中間部分１６７は、第１の末端部分１６５にて狭小領域１７０への移行部を提供するテーパ付き又は傾斜した壁セグメント１６９を含む。ロック部材セクション１５８及び１５９は同一であるので、ロック部材部分１５９も同様に形成される条件の下で、以下ではロック部材セクション１５８に関して説明する。図示のように、ロック部材セクション１５８は、中間部分１７４を通って第２の末端部分１７３に延びる第１の末端部分１７２を含む。第１の末端部分１７２は、外壁１４６において狭い直径部分を形成するためにかしめ、ピーニング、又は他の方法でロックされる。上述のように、ロック部材セクション１５８は、ロック部材アクチュエータ部分１５２から第１の表面１４３に向って或る角度で延びる。
【００１５】
バランス調整部材１４０はまた、ロック部材アクチュエータ１８４と第１及び第２のロック部材１８５、１８６とを含む自己ロックキングバイス１７６を含むものとして示されている。ロック部材アクチュエータ１８４は、ロック部材アクチュエータ部分１５２内に置かれ、中間セクション１８９を通って第２の端部セクション１８８に延びる第１の端部セクション１８７を含む。中間セクション１８９は、ロック部材アクチュエータ部分１５２のテーパ付き壁セグメント１６９に対応するテーパ付きセクション１９１を含む。第２の端部セクション１８８は、狭小領域１７０を貫通して延び、凹部１４４内に突出する。バネ１９３が、ロック部材アクチュエータ１８４を第１又はロック位置に付勢する。バネ１９３は、ロッククリップ（図示せず）により所定位置に保持される。
【００１６】
図示のように、ロック部材１８５及び１８６は、ロッキング球体又はボールベアリング１９６、１９７及び１９８、１９９の第１及び第２のペアを含む。ロック部材アクチュエータ１８４は、ロック部材アクチュエータ部分５２内に置かれ、第１の位置又はロック位置と第２の位置又はロック解除位置との間で選択的にシフト可能である。ロック解除位置では、ロック部材セクション１５８及び１５９の角度は、対応するロック配置とロック解除配置との間のボールベアリング１９６〜１９９の移行を容易にする。すなわち、ロック部材アクチュエータ１８４がロック解除位置にあるときには、ボールベアリング１９６〜１９９は、それぞれのロック部材セクション１５８及び１５９に沿って転動し、主本体部分１４２内に後退して、上述と同様の方式でロータ１０内への挿入及びロータ１０からの除去を容易にする。
【００１７】
次に図７及び８を参照して、本発明の第３の例示的な実施形態に従って構成されるバランス調整部材２４０を説明する。バランス調整部材２４０は、凹部２４４を備えた第１の表面２４３を有する主本体部分２４２を含む。第１の表面２４３は、外壁２４６を通って第２の表面２４５に延びる。外壁２４６は、全体的に参照符号２４７で示された複数のネジ部を含み、これらは、複数のバランス調整部材受入れ開口２０〜２３の各々に設けられたネジ部２４と係合するように構成されている。上述と同様にして、バランス調整部材２４０は、着脱自在に取り付けられたキャップ部材２５７を介してアクセスされるロック部材部分２５５及びロック部材アクチュエータ部分２５２を含むロックキングバイスハウジング２４９を含む。
【００１８】
ロック部材アクチュエータ部分２５２は、中間部分２６７を通って第２の末端部分２６６に延びる第１の末端部分２６５を含む。第１の末端部分２６５は、凹部２４４につながる狭小領域２７０に移行する。ロック部材部分２５５は、中間部分２７４を通って第２の末端部分２７３に延びる第１の末端部分２７２を含む。ロック部材部分２５５は、ロック部材アクチュエータ部分２５２を或る角度で実際に二分する。いずれの場合においても、バランス調整部材２４０はまた、ロック部材アクチュエータ２８４及びロック部材２８５を有する自己ロックキングバイス２７６を含む。ロック部材アクチュエータ２８４は、ロック部材アクチュエータ部分２５２内にシフト可能に取り付けられる。図示のように、ロック部材アクチュエータ２８４は、第２の末端部分２８８に延びる第１の末端部分２８７を含む。第１の末端部分２８７は、以下で詳細に述べるようにロック部材２８５と係合するように設計された丸み付き部材２９１を含む。
【００１９】
図示の実施形態によれば、ロック部材２８５は、第１及び第２の対向する表面３０４、３０５を含む、中間部分３０２を通って第２の端部３０１に延びる第１の端部３００を含む。第１の表面３０４は、ロック部材アクチュエータ２８４が図８に示すようなロック解除位置にシフトされたときに丸み付き部材２９１と相互に係合するように構成された傾斜表面３１２を有するロック部材アクチュエータ受入れ部３１０を備える。より具体的には、図７に示すようなロック位置において、バネ３１４は、ロック部材２９８を付勢して外壁２４６に貫通して延びるようにする。これに加えて、ロータ１０によって発生される遠心力が、ロック部材２８５を所定位置に更にロックする。工具（図示せず）を凹部２４４内に挿入することなどにより、ロック部材アクチュエータ２８４がロック解除位置（図８参照）にシフトされると、丸み付き部材２９１が移動してロック部材アクチュエータ受入れ部３１０の傾斜表面３１２と接触する。ロック部材アクチュエータ２８４の更なるシフトにより、ロック部材２８５が主本体部分２４２内に移動される。この時点で、バランス調整部材２４０は、例えばロータ１０内に挿入し、又はロータ１０から除去することができる。
【００２０】
次に図９及び１０を参照して、本発明の別の例示的な実施形態を説明する。ロータ１０上にバランス調整部材受入れ開口２０〜２３を設けることに加えて、回転機械２はまた、ファン支持体１４上に設けられたバランス調整部材受入れセクション３５０を含む。バランス調整部材受入れセクション３５０は、ファン支持体１４の内周周りに延びるスロット３５５によって定められる。スロット３５５は、複数のノッチを含み、その１つが参照符号３６５で示されている。ノッチ３６５は、ファン支持体１４の別個のバランス調整位置を定義している。
【００２１】
図１０に示すように、ほぼＴ字形状を有する自己ロック式バランス調整部材３７０は、ロック部材アクチュエータ３８０を有する自己ロックキングバイス３７３を含み、該ロック部材アクチュエータは、選択的に押下されて対向するロック部材３８５及び３８６のペアを解放する。この構成では、ロック部材アクチュエータ３８０が押下されると、自己ロック式バランス調整部材３７０がスロット３５５内に挿入され、所望のバランス調整位置に移動される。所望のバランス調整位置になると、ロック部材アクチュエータ３８０は解放され、ロック部材３８５及び３８６が対応するノッチ３６５と係合して、バランス調整部材３７０を支持体１４にロックすることが可能になる。勿論、スロット３５５は、図１に示すようなダブテール形状を含み、バランス調整部材３７０は、相補的な構造を含むことができる点は理解されたい。
【００２２】
ここで、本発明は、かしめ又はピーニングを必要とせずにターボ機械の回転部材に取り付けることのできるバランス調整部材を提供している点を理解されたい。これに加えて、例示的な実施形態は、ターボ機械の分解及びロータの除去を必要とせずに容易に取り外すことのできるバランス調整部材を例証している。このようにして、本発明は、回転機械の運転停止時間を短縮し、これによって運転効率を高め且つ運転コスト及び保守コストを低減させる。更に、図ではペアで示されているが、単一のロック部材も利用することができる点は理解されたい。また、キャップ部材を主本体と一体的に形成すると共に、バネの取付け及び取外しを可能にするようにクリップにアクセスできるようにすることができる。
【００２３】
一般に本明細書は、最良の形態を含む実施例を用いて本発明を開示し、更に、あらゆる当業者があらゆるデバイス又はシステムを実施及び利用すること及びあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【図面の簡単な説明】
【００２４】
【図１】本発明の例示的な実施形態に従って構成された自己ロック式バランス調整部材を含む回転構成要素を有する回転機械の部分断面図。
【図２】図１の回転構成要素及び自己ロック式バランス調整部材の部分斜視図。
【図３】ロック状態で示された、本発明の第１の例示的な実施形態に従って構成された自己ロック式バランス調整部材の側断面図。
【図４】ロック解除状態で示された、図３の自己ロック式バランス調整部材の側断面図。
【図５】図３の自己ロック式バランス調整部材の下側斜視図。
【図６】ロック状態で示された、本発明の第２の例示的な実施形態に従って構成された自己ロック式バランス調整部材の側断面図。
【図７】ロック状態で示された、本発明の第３の例示的な実施形態に従って構成された自己ロック式バランス調整部材の側断面図。
【図８】ロック解除状態で示された、図７の自己ロック式バランス調整部材の側断面図。
【図９】本発明の例示的な実施形態によるファン支持体の部分断面図。
【図１０】本発明の第４の例示的な実施形態に従って構成された自己ロック式バランス調整部材の斜視図。
【符号の説明】
【００２５】
２  ターボ機械
４  ステータ
６  複数のスタック状積層体
８  フランジ
１０  ロータ
１１  主本体（１０）
１３  外表面（１１）
１４  ファン支持体
１５  エアギャップ
１７  入口ギャップ
２０〜２３  バランス調整部材受入れ開口
２４  ネジ（２２）
２５、２６  ロック部材受入れ部
４０  バランス調整部材
４２  主本体部分
４３  第１の表面
４４  凹部
４５  第２の表面
４６  外壁
４７  ネジ（４６）
４９  ロックキングバイスハウジング
５２  ロック部材アクチュエータ部分
５５  ロック部材部分
５７  キャップ部材
６５  第１の末端部分（５２）
６６  第２の末端部分（５２）
６７  中間部分（５２）
６９  テーパ付きセグメント傾斜壁
７０  狭小領域
７２  第１の末端部分（５５）
７３  第２の末端部分（５５）
７４  中間部分（５５）
７６  ロックキングバイス
８４  ロック部材アクチュエータ（７６）
８５、８６  ロック部材（７６）
８７  第１の端部セクション（８４）
８８  第２の端部セクション（８４）
８９  中間部分
９１  テーパ付きセクション（８９）
９３  バネ
９４  ロッククリップ
１４０  バランス調整部材
１４２  主本体部分
１４３  第１の表面
１４４  凹部
１４５  第２の表面
１４６  外壁
１４７  ネジ（１４６）
１４９  ロックキングバイスハウジング
１５２  ロック部材アクチュエータ部分
１５５  ロック部材部分
１５７  キャップ部材
１５８、１５９  第１及び第２の対向するロック部材セクション
１６５  第１の末端部分（１５２）
１６６  第２の末端部分（１５２）
１６７  中間部分
１６９  テーパ付き／傾斜壁セグメント
１７０  狭小領域
１７２  第１の末端部分（１５５）
１７３  第２の末端部分（１５５）
１７４  中間部分
１７６  自己ロックキングバイス
１８４  ロック部材アクチュエータ
１８５、１８６  ロック部材
１９６〜１９９  ロッキング球体又はボールベアリングの第１及び第２のペア
２４０  バランス調整部材
２４２  主本体部分
２４３  第１の表面
２４４  凹部
２４５  第２の表面
２４６  外壁
２４７  ネジ部
２４９  ロックキングバイスハウジング
２５２  ロック部材アクチュエータ部分
２５５  ロック部材部分
２５７  キャップ部材
２６５  第１の末端部分（２５２）
２６６  第２の末端部分（２５２）
２６７  中間末端部分
２７０  狭小領域
２７２  第１の末端部分
２７３  第２の末端部分
２７４  中間末端部分
２７６  自己ロックキングバイス
２８４  ロック部材アクチュエータ
２８５  ロック部材
２８７  第１の末端部分（２８４）
２８８  第２の末端部分（２８４）
２９１  丸み付き部材
３００  第１の端部（２８５）
３０１  第２の端部（２８５）
３０２  中間部分
３０４、３０５  第１／第２の対向する表面
３１０  ロック部材アクチュエータ受入れ部
３１２  傾斜表面（３１０）
３１４  バネ
３５０  バランス調整部材受入れセクション
３５５  スロット
３６５  複数のノッチ
３７０  自己ロック式バランス調整部材
３７３  自己ロックキングバイス
３８０  ロック部材アクチュエータ
３８５、３８６  ロック部材
【図１】
2009115317.tif 000003
【図２】
2009115317.tif 000004
【図３】
2009115317.tif 000005
【図４】
2009115317.tif 000006
【図５】
2009115317.tif 000007
【図６】
2009115317.tif 000008
【図７】
2009115317.tif 000009
【図８】
2009115317.tif 000010
【図９】
2009115317.tif 000011
【図１０】
2009115317.tif 000012